(57)【特許請求の範囲】
【請求項１】
複数の給電所の管轄給電範囲毎のスケルトン画面データに設備のシンボルと設備の名称が設定され、スケルトン画面上の設備のシンボルと設備の名称が各設備データへデータ番号により関係がとられている変電所を監視制御するコンピュータシステムにおいて、
変電所のスケルトン画面を表示し、給電所一覧で管轄給電所名称を選択し、その画面表示されたスケルトン画面上で各管轄給電所を長方形の枠で囲み枠指定する手段と、
指定枠内にある設備名称、シンボル要素を検索して各要素番号を求める手段と、
検索された要素番号から予め定められた設備種別とこの設備種別に対応した設備表のデータ番号を取得し、この設備種別に対応した各設備表データの管轄給電所欄に前記選択された管轄給電所を設定する手段と、
選択された給電所の管轄範囲を枠で表示し、管轄範囲内の設備シンボル及び設備名称を点滅表示させ、前記管轄給電所の設定データを確認可能にしたことを特徴とする変電所設備の管轄給電所データの設定方法。
【発明の詳細な説明】
【０００１】
【発明の属する技術分野】
この発明は、変電所を監視制御するコンピュータシステムにおいて、設備データの属性の１つである管轄給電所データ、管轄営業所データを設定する、変電所設備の管轄給電所データの設定方法に関するものである。
【０００２】
【従来の技術】
変電所の設備の種類には以下のものがある。
変圧器，母線，母線連絡線，中性点，調相設備，計器用変圧器，引込線，配電線，特高配電線，主変圧器外変圧器，接続設備，構内連絡線，その他の設備。
【０００３】
変電所を監視制御するコンピュータシステムは、変電所の監視制御，操作指令受信，事故通報等の処理を実行するため、各設備データには管轄給電所又は管轄営業所を設定処理しておく必要がある。
【０００４】
その設定方法は、各設備表（変圧器表，母線表，引込線表等）の表データ形式の設定画面で給電所一覧より選択して行っている。図５に現在の引込線の管轄給電所設定方法を示す。
【０００５】
変電所を監視制御するコンピュータシステムは、必ず変電所のスケルトン画面データがあり、そのスケルトン画面データには設備のシンボルと設備の名称を設定している。
【０００６】
スケルトン画面上の設備のシンボルと設備の名称は各設備表データへデータＮＯ．により関係がとられている。（関係がとられていないと監視制御の処理が機能しない。）
【０００７】
【発明が解決しようとする課題】
各設備の種類毎の設定画面（変圧器データ設定画面，母線データ設定画面，引込線データ設定画面…等）に管轄給電所のデータ設定欄があり、変電所の各々の設備について給電所一覧から給電所を選択するので、管轄給電所データ設定に時間がかかる。
【０００８】
また、管轄給電所データにどの給電所が設定されているかを確認するためには、各設備の種類毎の設定画面を表示する必要があり時間がかかる。
【０００９】
この発明は、このような課題に鑑みてなされたものであり、その目的とするところは、複数の設備を一括指定でき、設定時間を短縮しうる変電所設備の管轄給電所データの設定方法を提供することにある。
【００１０】
【課題を解決するための手段】
この発明の変電所設備の管轄給電所データの設定方法は、複数の給電所の管轄給電範囲毎のスケルトン画面データに設備のシンボルと設備の名称が設定され、スケルトン画面上の設備のシンボルと設備の名称が各設備データへデータ番号により関係がとられている変電所を監視制御するコンピュータシステムにおいて、
変電所のスケルトン画面を表示し、給電所一覧で管轄給電所名称を選択し、その画面表示されたスケルトン画面上で各管轄給電所を長方形の枠で囲み枠指定する手段と、
指定枠内にある設備名称、シンボル要素を検索して各要素番号を求める手段と、
検索された要素番号から予め定められた設備種別とこの設備種別に対応した設備表のデータ番号を取得し、この設備種別に対応した各設備表データの管轄給電所欄に前記選択された管轄給電所を設定する手段と、
選択された給電所の管轄範囲を枠で表示し、管轄範囲内の設備シンボル及び設備名称を点滅表示させ、前記管轄給電所の設定データを確認可能にしたことを特徴とするものである。
【００１２】
【発明の実施の形態】
一般に変電所設備の各給電所の管轄範囲は、図６に示す点線で示す長方形の枠ａ，ｂ，ｃ等で囲むような範囲となっている。
【００１３】
また、従来の技術で述べたように変電所を監視制御するコンピュータシステムは、必ず変電所のスケルトン画面データがあり、そのスケルトン画面データには設備のシンボルと設備の名称が設定されており、スケルトン画面上の設備のシンボルと設備の名称は各設備データ（変圧器表，母線表，引込線表等）へデータＮＯ．により関係がとられている。
【００１４】
以下に、この発明の実施の形態を図１〜図３を用いて説明する。まず、変電所設備の管轄給電所を設定するときに、図１に示すように変電所のスケルトン画面を表示し、給電所一覧でＡ給電所を選択後スケルトン画面上でＡ給電所の管轄範囲を長方形の枠ａで囲み枠指定すると設備シンボルと名称を点滅表示する。枠ａで囲まれたＡ給電所の設備のシンボルと設備の名称（図２）は上記のように各設備データへデータＮＯ．により関係がとられているので、登録ファクションキーを選択することにより枠内にある全ての設備名称・シンボル要素が検索され、各要素番号が求められ、各設備表データの管轄給電所欄に給電所データがそれぞれ一括設定される。これにより図３に示すように各設備差のデータ設定画面に反映される。上記設備の管轄給電所データ設定手順を図４に示す。Ｂ，Ｃ給電所等のデータ設定も同様に行う。
【００１５】
また、給電所データを確認したい場合は、上記スケルトン画面表示時に給電所一覧においてＡ給電所を選択した後、スケルトン画面上でＡ給電所の管轄範囲を枠ａで表示し、管轄給電所がＡ給電所に設定されている設備シンボル設備名称を点滅表示する。これにより設備データの管轄給電所設定を確認することが可能となる。設備データ確認後確認ファクションキーを選択する。確認ファンクションにより表示が通常に戻る。Ｂ，Ｃ給電所等のデータ確認も同様に行う。
【００１６】
上記Ａ給電所の場合、枠指定された管轄範囲内の○○線１号，２号（Ｌ１，Ｌ２）のデータの他に、２つの引込線Ｌ３，Ｌ４，２つの母線Ｂ１，Ｂ２，３つの母線連絡線Ｂ１１，Ｂ２２，Ｂ１２，３つの変圧器ＴＲ１，ＴＲ２，ＴＲ３のデータが一括指定できる。
【００１７】
上記の説明では細かい設備を記述していないが、実際のスケルトンには、更に中性点，調相設備，計器用変圧器，主変圧器外変圧器，その他の設備（避雷器等）が記述されており、これらの設備の管轄給電所も同時に一括指定することができる。
【００１８】
【発明の効果】
この発明は、上述のとおり構成されているので、以下に記載する効果を奏する。
【００１９】
（１）スケルトン画面上で給電所の管轄範囲を枠指定することにより複数の設備のデータを一括指定でき、設定時間が短縮される。
【００２０】
（２）設定データを確認する際に、管轄範囲がスケルトン画面上で枠表示され、設備シンボル，設備名称が点滅表示されるため、設定確認時間が短縮される。
【００２１】
（３）実際の給電所管轄範囲と同様の指定方法となり、各設備表で設定する方法よりもわかりやすい。
【図面の簡単な説明】
【図１】（ａ）は実施の形態にかかる変電所スケルトン画面図、（ｂ）は給電所選択用給電所一覧画面図。
【図２】スケルトン画面で枠指定された給電所管轄範囲内表示要素例を示す説明図。
【図３】実施の形態にかかるスケルトン画面内表示要素と各設備表との関係説明図。
【図４】設備の管轄給電所データ設定手順を示すフロー図。
【図５】従来例にかかる引込線が管轄給電所の設定方法の説明図で（ａ）は引込線データ設定画面図、（ｂ）は給電所選択用給電所一覧画面図。
【図６】変電所設備の給電所の管轄範囲の例を示す変電所スケルトン図。
【図１】
0003911876.tif 000002
【図２】
0003911876.tif 000003
【図３】
0003911876.tif 000004
【図４】
0003911876.tif 000005
【図５】
0003911876.tif 000006
【図６】
0003911876.tif 000007